(57)【要約】      （修正有）【課題】打球の余振を有効に吸収し、打球の応力の減損を避け、重りの組立を簡単にし、クラブの握持の快適感を増やし、打球の正確性を高め、さらに全体の打球の性能を確保する。【解決手段】ヘッド本体１、少なくとも一個の弾性エアクッション２および少なくとも一個の重り３により構成される。ヘッド本体にはフェース板１１が設けられ、ヘッド本体はフェース板の後方において適当な位置に振動抑制ゾーンが凹むように設けられることにより、弾性エアクッションと重りを結合することができる。弾性エアクッションは嚢体２１と気室２２により組成され、弾性エアクッションは打球の応力を減損しない状態でフェース板の打球の余振を有効に吸収するのに用いられる。弾性エアクッションは重りを振動抑制ゾーンに固定するのに補助することができると共に、弾性エアクッションと重りは共同で全体の重心位置を調整するのに用いられるように構成されている。【選択図】図３
2006255017.tif 000002
【特許請求の範囲】
【請求項１】
ヘッド本体（１）、少なくとも一個の弾性エアクッション（２）および少なくとも一個の重り（３）により構成される振動吸収可能なゴルフクラブヘッドの重りの構造であって、ヘッド本体（１）にはフェース板（１１）が設けられ、フェース板（１１）の正面はゴルフボールを打球するのに用いられ、さらにフェース板（１１）の後方の適当な位置において振動抑制ゾーンが凹むように設けられ、弾性エアクッション（２）はヘッド本体（１）の振動抑制ゾーンに収容され、弾性エアクッション（２）には嚢体（２１）、気室（２２）と結合部（２３）が含まれ、嚢体（２１）は弾性材料により製成され、気室（２２）には少なくとも気体が充填されることにより、上記気体の弾性圧縮の特性を利用してフェース板（１１）の打球の余振を吸収するように形成され、重り（３）は弾性エアクッション（２）の結合部（２３）に結合され、弾性エアクッション（２）と重り（３）は共同でゴルフクラブヘッドの全体の重心位置を調整するのに用いられることを特徴とする振動吸収可能なゴルフクラブヘッドの重りの構造。
【請求項２】
嚢体（２１）の弾性材料はゴム、ポリウレタン、熱可塑性弾性体、高分子弾性樹脂から選択することを特徴とする請求項１記載の振動吸収可能なゴルフクラブヘッドの重りの構造。
【請求項３】
気室（２２）は外部の大気に相対して等圧、高圧、低圧になるように選択することを特徴とする請求項１記載の振動吸収可能なゴルフクラブヘッドの重りの構造。
【請求項４】
重り（３）の比重はヘッド本体の比重より大きく、同じ、小さくなるように選択することを特徴とする請求項１記載の振動吸収可能なゴルフクラブヘッドの重りの構造。
【請求項５】
重り（３）は金属、合金、プラスチック、発泡材から選択することを特徴とする請求項１記載の振動吸収可能なゴルフクラブヘッドの重りの構造。
【請求項６】
弾性エアクッション（２）には他に狭い隙間（２３１）が設けられ、狭い隙間（２３１）は嚢体（２１）の外表面と結合部（２３）との間を連通するように形成されることにより、重り（３）は結合部（２３）の内部に簡単に嵌入されることを特徴とする請求項１記載の振動吸収可能なゴルフクラブヘッドの重りの構造。
【請求項７】
弾性エアクッション（２）の嚢体（２１）には他に少なくとも一個の係止部（２５）が突出するように形成され、上記振動抑制ゾーンには対応するように少なくとも一個の係止部（１４１）が凹むように設けられ、弾性エアクッション（２）の係止部（２５）は上記振動抑制ゾーンの係止部（１４１）に係止して結合するように形成されることを特徴とする請求項１記載のゴルフクラブヘッドの重りの構造。
【請求項８】
ヘッド本体（１）の背面の上、下半部にはそれぞれキャビティ（１３）と収容室（１４）が設けられ、キャビティ（１３）はフェース板（１）の背面を露出し、収容室（１４）は上記振動抑制ゾーンを構成することにより、弾性エアクッション（２）と重り（３）を収容することを特徴とする請求項１記載の振動吸収可能なゴルフクラブヘッドの重りの構造。
【請求項９】
収容室（１４）は前へ向いてフェース板（１１）の背面まで連通するように形成されることにより、弾性エアクッション（２）はフェース板（１１）の背面に部分的に緊密に貼接するように形成されることを特徴とする請求項８記載のゴルフクラブヘッドの重りの構造。
【請求項１０】
収容室（１４）は前へ向いてフェース板（１１）の主打球ゾーンの背面まで連通するように形成されることにより、弾性エアクッション（２）はフェース板（１１）の主打球ゾーンの背面に部分的に緊密に貼接するように形成されることを特徴とする請求項９記載のゴルフクラブヘッドの重りの構造。
【請求項１１】
収容室（１４）は前へ向いてフェース板（１１）の余振集中ゾーンの背面まで連通するように形成されることにより、弾性エアクッション（２）はフェース板（１１）の余振集中ゾーンの背面に部分的に緊密に貼接するように形成されることを特徴とする請求項９記載のゴルフクラブヘッドの重りの構造。
【請求項１２】
収容室（１４）はヘッド本体（１）の背面のヒール部とトウ部の位置に設けられることを特徴とする請求項１１記載の振動吸収可能なゴルフクラブヘッドの重りの構造。
【請求項１３】
収容部（１４）の開口部は後へ向くように形成され、弾性エアクッション（２）の結合部（２４）の開口部は後へ向くように形成されることにより、重り（３）が結合部（２４）に嵌入された後、部分的な表面が露出するように形成されることを特徴とする請求項８記載のゴルフクラブヘッドの重りの構造。
【請求項１４】
収容部（１４）の開口部は上へ向くように形成され、弾性エアクッション（２）の結合部（２４）の開口部は上へ向くように形成されることにより、重り（３）が結合部（２４）に嵌入された後、部分的な表面が露出するように形成されることを特徴とする請求項８記載のゴルフクラブヘッドの重りの構造。
【請求項１５】
収容部（１４）の開口部は後へ向くように形成され、弾性エアクッション（２）の結合部（２４）の開口部は収容室（１４）のフェース板（１１）の背面に向くように形成されることにより、重り（３）はフェース板（１１）の背面に接触することができるように形成されることを特徴とする請求項８記載のゴルフクラブヘッドの重りの構造。
【請求項１６】
収容部（１４）の開口部は後へ向くように形成され、弾性エアクッション（２）の結合部（２４）は収容室（１４）の開口部とフェース板（１１）の背面との間を貫通するように形成されることにより、重り（３）はフェース板（１１）の背面に接触すると同時に、部分的な表面が露出するように形成されることを特徴とする請求項８記載のゴルフクラブヘッドの重りの構造。
【請求項１７】
ヘッド本体（１）の収容室（１４）には弾性エアクッション（２）の結合部（２４）に対応するように嵌合部（１４２）が形成されることにより、重り（３）を嵌設して固定することができることを特徴とする請求項８記載の振動吸収可能なゴルフクラブヘッドの重りの構造。
【請求項１８】
嵌合部（１４２）はフェース板（１１）の背面に隣接するように形成されることにより、重り（２）はフェース板（１１）の背面に部分的に接触するように形成されることを特徴とする請求項１７記載のゴルフクラブヘッドの重りの構造。
【請求項１９】
キャビティ（１３）には延伸するように長溝（１３１）が形成されることにより、収容室（１４）とフェース板（１１）の背面を区画するため、収容室（１４）の内部に収容された弾性エアクッション（２）はフェース板（１１）の背面と直接接触しないように形成されることを特徴とする請求項８記載のゴルフクラブヘッドの重りの構造。
【請求項２０】
ヘッド本体（１）は密閉するように内部空間（１５）が形成され、内部空間（１５）の底部には収容室（１４）が形成され、収容室（１４）は振動抑制ゾーンを構成することにより、弾性エアクッション（２）と重り（３）を収容することを特徴とする請求項１記載の振動吸収可能なゴルフクラブヘッドの重りの構造。
【請求項２１】
収容室（１４）はフェース板（１１）の背面に近寄るように形成されることにより、弾性エアクッション（２）はフェース板（１１）の背面に部分的に緊密に貼接するように形成されることを特徴とする請求項２０記載のゴルフクラブヘッドの重りの構造。
【請求項２２】
収容室（１４）は前へ向いてフェース板（１１）の主打球ゾーンの背面まで連通するように形成されることにより、弾性エアクッション（２）はフェース板（１１）の主打球ゾーンの背面に部分的に緊密に貼接するように形成されることを特徴とする請求項２１記載のゴルフクラブヘッドの重りの構造。
【請求項２３】
収容室（１４）は前へ向いてフェース板（１１）の余振集中ゾーンの背面まで連通するように形成されることにより、弾性エアクッション（２）はフェース板（１１）の余振集中ゾーンの背面に部分的に緊密に貼接するように形成されることを特徴とする請求２２記載のゴルフクラブヘッドの重りの構造。
【請求項２４】
収容室（１４）はヘッド本体（１）の背面のヒール部とトウ部の位置に設けられることを特徴とする請求項２３記載の振動吸収可能なゴルフクラブヘッドの重りの構造。
【発明の詳細な説明】
【技術分野】
【０００１】
本発明は、振動吸収可能なゴルフクラブヘッドの重りの構造に関するもので、特にヘッド本体は弾性エアクッションを利用して打球の余振を吸収し、さらに重りを利用して全体の重心を調整することができる振動吸収と重りの構造に係るものである。
【背景技術】
【０００２】
従来のゴルフクラブヘッドの振動吸収構造としては、図１３に示すように、ヘッド本体１００および振動吸収材料２００が含まれる。ヘッド本体１００にはフェース板１０１とキャビティ１０２が設けられる。フェース板１０１はゴルフボールを打球するのに用いられる。キャビティ１０２は振動吸収材料２００を充填するのに用いられる。振動吸収材料２００は好ましくは硬度がshore Ｄ ２０から５０の間にある材料から選択することができ、例えばポリウレタン（polyurethane、PU）、発泡材（foam）またはゴムから選択することができる。これにより、打球時において振動吸収材料２００は打球時に生じた余振を適当に吸収することができるため、使用者に手の握持の快適感を相対的に増やすことができるようにとしたものがある（例えば、特許文献１を参照）。
【０００３】
また、従来のゴルフクラブヘッドの振動吸収構造としては、ヘッド本体および少なくとも一個の重りが含まれる。上記重りは熔接、螺設、しまりばめによる嵌設などの方式を利用してヘッド本体の底部の位置に結合されることにより、全体の重心位置を調整することができるようにとしたものがある（例えば、特許文献２、３、４、５を参照）。
【特許文献１】アメリカ特許番号第５，２９０，０３６号
【特許文献２】アメリカ特許番号第６，０１２，９９０号
【特許文献３】アメリカ特許番号第６，２０６，７９０号
【特許文献４】アメリカ特許番号第６，５２４，１９８号
【特許文献５】アメリカ特許番号第６，７７３，３６０号
【発明の開示】
【発明が解決しようとする課題】
【０００４】
上記のような従来のゴルフクラブヘッドの振動吸収構造においては、力学の分析上において打球の正確性と方向の制御性を高めるべく、ゴルフボールがフェース板１０１に接触し始めた時、フェース板１０１は好ましくは微小な打球の応力の作用を受けなければならず、そして迅速に大量に圧縮して変形するように形成される。それに反して、ゴルフボールがフェース板１０１から離れようとする時、フェース板１０１は好ましくは最大な弾性変形量から原状まで迅速に弾性に回復しなければならず、それによって比較的強い反発する作用力が形成され、そしてゴルフボールにフィードバックすることにより、ゴルフボールを遠距離の位置まで打球することができる。しかし、フェース板１０１が連続的に弾性変形を行う期間において、フェース板１０１には必ず後方への圧力が生じるため、振動吸収材料２００を圧縮して体積が変形してしまう。また、フェース板１０１に弾性変形が発生し始めると、弾性による回復能力が低下するため、振動吸収材料２００はフェース板１０１に当接し過ぎるため、打球の性能に影響を及ぼしてしまう。さらに、ゴルフクラブヘッドがゴルフボールに接触し始めようとする時から、ゴルフボールがゴルフクラブヘッドから離れようとする時までの接触する時間において、フェース板１０１は振動吸収材料２００が過度な当接によって有効に後方へ屈曲変形することができないため、ゴルフボールとの接触時間が長くなってしまう。その結果、振動吸収材料２００の設置によって最良な振動吸収の効果に達することができないばかりか、全体の打球の性能を大幅に下げてしまうという問題点があった。
【０００５】
また、上記のような従来のゴルフクラブヘッドの振動吸収構造においては、上記重りとヘッド本体は上述した方式を利用して形成された結合構造では通常として抵抗が小さ過ぎるだけではなく、振動吸収性が悪くなるという問題点があった。また、上記ヘッド本体が長期に打球の振動を受けた状態では、上記重りとヘッド本体との間の結合構造には亀裂または緩みが生じ易いため、打球の異音が生じてしまうだけではなく、上記重りが脱落してしまうという問題点があった。そのため、上記のような従来のゴルフクラブヘッドの振動吸収構造をさらに改良しなければならない。
【０００６】
本発明はこのような問題点に鑑みて発明したものであって、その目的とするところは、フェース板の後方において振動抑制ゾーンが形成されることにより、弾性エアクッションと重りを結合することができ、弾性エアクッションには嚢体と気室が設けられるため、空気による弾性圧縮の特性を有するように形成されると同時に、弾性エアクッションによって重りの位置決めを補助することができるため、打球の余振を有効に吸収することができると共に、打球の応力の減損を避け、重りの組立を簡単にし、クラブの握持の快適感を増やし、打球の正確性を高め、さらに全体の打球の性能を確保することができる振動吸収可能なゴルフクラブヘッドの重りの構造を提供しようとするものである。
【０００７】
本発明の第一の目的は、フェース板の後方において適当な位置に振動抑制ゾーンが形成されることにより、弾性エアクッションと重りを結合することができるため、打球の余振を吸収し、全体の重心を調整し、さらに重りの組立を簡単にすることができる振動吸収可能なゴルフクラブヘッドの重りの構造を提供しようとするものである。
【課題を解決するための手段】
【０００８】
上記目的を達成するために、本発明による振動吸収可能なゴルフクラブヘッドの重りの構造は、以下のようになるものである。すなわち、
ヘッド本体、少なくとも一個の弾性エアクッションおよび少なくとも一個の重りにより構成される。ヘッド本体にはフェース板が設けられ、フェース板の正面はゴルフボールを打球するのに用いられ、さらにフェース板の後方の適当な位置において振動抑制ゾーンが凹むように設けられる。弾性エアクッションはヘッド本体の振動抑制ゾーンに収容され、弾性エアクッションには嚢体、気室と結合部が含まれ、嚢体は弾性材料により製成され、気室には少なくとも気体が充填されることにより、上記気体の弾性圧縮の特性を利用してフェース板の打球の余振を吸収するように形成される。重りは弾性エアクッションの結合部に結合され、弾性エアクッションと重りは共同でゴルフクラブヘッドの全体の重心位置を調整するのに用いられる。
【０００９】
本発明による振動吸収可能なゴルフクラブヘッドの重りの構造は、嚢体の弾性材料はゴム、ポリウレタン、熱可塑性弾性体、高分子弾性樹脂から選択することもできる。また、気室は外部の大気に相対して等圧、高圧、低圧になるように選択することもできる。また、重りの比重はヘッド本体の比重より大きく、同じ、小さくなるように選択することもできる。また、重りは金属、合金、プラスチック、発泡材から選択することもできる。また、弾性エアクッションには他に狭い隙間が設けられ、狭い隙間は嚢体の外表面と結合部との間を連通するように形成されることにより、重りは結合部の内部に簡単に嵌入されることもできる。また、弾性エアクッションの嚢体には他に少なくとも一個の係止部が突出するように形成され、上記振動抑制ゾーンには対応するように少なくとも一個の係止部が凹むように設けられ、弾性エアクッションの係止部は上記振動抑制ゾーンの係止部に係止して結合するように形成されることもできる。また、ヘッド本体の背面の上、下半部にはそれぞれキャビティと収容室が設けられ、キャビティはフェース板の背面を露出し、収容室は上記振動抑制ゾーンを構成することにより、弾性エアクッションと重りを収容することもできる。また、収容室は前へ向いてフェース板の背面まで連通するように形成されることにより、弾性エアクッションはフェース板の背面に部分的に緊密に貼接するように形成されこともできる。また、収容室は前へ向いてフェース板の主打球ゾーンの背面まで連通するように形成されることにより、弾性エアクッションはフェース板の主打球ゾーンの背面に部分的に緊密に貼接するように形成されることもできる。また、収容室は前へ向いてフェース板の余振集中ゾーンの背面まで連通するように形成されることにより、弾性エアクッションはフェース板の余振集中ゾーンの背面に部分的に緊密に貼接するように形成されることもできる。また、収容室はヘッド本体の背面のヒール部とトウ部の位置に設けられることもできる。また、収容部の開口部は後へ向くように形成され、弾性エアクッションの結合部の開口部は後へ向くように形成されることにより、重りが結合部に嵌入された後、部分的な表面が露出するように形成されることもできる。また、収容部の開口部は上へ向くように形成され、弾性エアクッションの結合部の開口部は上へ向くように形成されることにより、重りが結合部に嵌入された後、部分的な表面が露出するように形成されることもできる。また、収容部の開口部は後へ向くように形成され、弾性エアクッションの結合部の開口部は収容室のフェース板の背面に向くように形成されることにより、重りはフェース板の背面に接触することができるように形成されることもできる。また、収容部の開口部は後へ向くように形成され、弾性エアクッションの結合部は収容室の開口部とフェース板の背面との間を貫通するように形成されることにより、重りはフェース板の背面に接触すると同時に、部分的な表面が露出するように形成されることもできる。また、ヘッド本体の収容室には弾性エアクッションの結合部に対応するように嵌合部が形成されることにより、重りを嵌設して固定することもできる。また、嵌合部はフェース板の背面に隣接するように形成されることにより、重りはフェース板の背面に部分的に接触するように形成されることもできる。また、キャビティには延伸するように長溝が形成されることにより、収容室とフェース板の背面を区画するため、収容室の内部に収容された弾性エアクッションはフェース板の背面と直接接触しないように形成されることもできる。また、ヘッド本体は密閉するように内部空間が形成され、内部空間の底部には収容室が形成され、収容室は振動抑制ゾーンを構成することにより、弾性エアクッションと重りを収容することもできる。また、収容室はフェース板の背面に近寄るように形成されることにより、弾性エアクッションはフェース板の背面に部分的に緊密に貼接するように形成されることもできる。また、収容室は前へ向いてフェース板の主打球ゾーンの背面まで連通するように形成されることにより、弾性エアクッションはフェース板の主打球ゾーンの背面に部分的に緊密に貼接するように形成されることもできる。また、収容室は前へ向いてフェース板の余振集中ゾーンの背面まで連通するように形成されることにより、弾性エアクッションはフェース板の余振集中ゾーンの背面に部分的に緊密に貼接するように形成されることもできる。また、収容室はヘッド本体の背面のヒール部とトウ部の位置に設けられることもできる。
【発明の効果】
【００１０】
本発明の振動吸収可能なゴルフクラブヘッドの重りの構造によれば、フェース板の後方において適当な位置に振動抑制ゾーンが形成されることにより、弾性エアクッションと重りを結合することができるため、打球の余振を吸収し、全体の重心を調整し、さらに重りの組立を簡単にすることができるという利点がある。
【発明を実施するための最良の形態】
【００１１】
本発明の実施の形態について、以下、図面を参照して説明する。
【実施例１】
【００１２】
図１を参照すると、本発明の実施例１の振動吸収可能なゴルフクラブヘッドの重りの構造にはヘッド本体１、少なくとも一個の弾性エアクッション２および少なくとも一個の重り３が含まれる。ヘッド本体１はアイアン型のヘッド構造からなり、ヘッド本体１にはフェース板１１、ホーゼル１２、キャビティ１３と収容室１４（振動抑制ゾーン）が設けられる。ヘッド本体１の正面には例えば熔接、硬ろう付け、嵌設、螺設または一体成形の方式のどれかによってフェース板１１を形成することができ、フェース板１１はゴルフボールを打球するのに用いられる。ホーゼル１２はフェース板１１の片側に設けられ、ヘッド本体１においてホーゼル１２に近寄る側をヒール部（heel）と称し、さらにヘッド本体１においてホーゼル１２から遠く離れる側をトウ部（toe）と称する。キャビティ１３はヘッド本体１の背部に設けられ、そしてフェース板１１の背面を露出するように形成されるため、フェース板１１が後方へ弾性変形する自由度を提供することができる。収容室１４はヘッド本体１の背面の底部または下半部に凹むように設けられ、収容室１４の開口部は後へ向くように形成されると共に、前へ向いてフェース板１１の背面まで連通するように形成される。
【００１３】
再び図１を参照すると、本発明の実施例１の弾性エアクッション２には嚢体２１、気室２２と結合部２３が設けられる。嚢体２１は弾性材料により製成され、例えばゴム、ポリウレタン（PU, polyurethane）、熱可塑性弾性体（thermo-plastic elastomer）またはその他の高分子弾性樹脂などの材料により製成されることにより、弾性エアクッション２の比重はヘッド本体１の比重より小さくなるように形成される。気室２２は嚢体２１によって密閉するように形成され、そして気室２２は外部の大気に相対して等圧、高圧、低圧になるように選択することができる。結合部２３には少なくとも片側の開口部が形成されることにより、組立の空間を提供して重り３を組み立てて結合することができる。
【００１４】
再び図１、２、３を参照すると、本発明の実施例１の重り３は金属、合金、プラスチックまたは発泡材から選択することができ、すなわち重り３の比重は使用上の需要性に応じて例えばヘッド本体の比重より大きく、同じ、小さくなるように選択することができる。組立時において、重り３は先ず結合部２３の片側の開口部から弾性エアクッション２を結合部２３の内部に嵌入させる。それから、再び弾性エアクッション２と重り３との組合体をヘッド本体１の収容室１４の内部に嵌入させると同時に、粘着剤を利用して固定することができ、または弾性エアクッション２そのものの弾性を利用して収容室１４の内部に当接することにより、粘着剤を使用することなく、弾性エアクッション２により重り３を簡単にヘッド本体１の収容室１４の内部に結合させることができる。組立後において、弾性エアクッション２は部分的にフェース板１１の背面に緊密に貼接するように形成され、特に主打球ゾーン（sweet spot，スイートスポット）の背面に緊密に貼接するように形成される。
【００１５】
再び図３を参照すると、力学分析上において、弾性エアクッション２と重り３にはヘッド本体１の比重と異なる比重を有するように形成されることにより、弾性エアクッション２と重り３は共同でゴルフクラブヘッドの全体の重心位置を調整することができるため、慣性モーメントと打球の性能を増やす（または調整する）ことができる。また、ゴルフクラブヘッドが打球に用いられた時、ゴルフボールは順序よく以下の段階を経る。ａ）フェース板１１に接触し始めようとする。ｂ）フェース板１１に最大な弾性変形が生じる。ｃ）フェース板１１から最終的に離脱する。ａ）段階において、フェース板１１は後方へ向かって弾性変形が生じ、連続的な変化によって後方への圧力が必ず生じるため、弾性エアクッション２を当接すると共に、弾性エアクッション２の体積は連続的に圧縮して変形するように形成される。弾性エアクッション２の気室２２には適量な気体が含まれるため、弾性エアクッション２には即時に弾性による圧縮の変形が生じ、弾性エアクッション２が過度にヘッド本体１１に当接するのを避けることができるため、打球の応力のエネルギーを維持することができると共に、ゴルフボールがフェース板１１に接触する時間を遅らせることができるため、ｂ）段階においてフェース板１１における方向の制御性と打球の正確性を高めるのに役立つことができる。ｃ）段階において、フェース板１１に生じた圧力が段々とゼロに減っていくように従って、弾性エアクッション２の体積も元の体積まで迅速に回復することができる。ゴルフボールを打ち出した後、フェース板１１からゴルフボールにフィードバックしていない部分的な打球の応力によって余振が生じるが、弾性エアクッション２がすでにフェース板１１に緊密に貼接するまで回復されるため、上記余振を有効に吸収することができ、さらにクラブの握持の快適感を増やすことができる。
【実施例２】
【００１６】
図４を参照すると、本発明の実施例２の振動吸収可能なゴルフクラブヘッドの重りの構造が掲示される。実施例１と比較すると、実施例２においてヘッド本体１には少なくとも二個の収容室１４ａ、１４ｂが設けられることにより、少なくとも二個の弾性エアクッション２と少なくとも二個の重り３が収容される。例えば、ヘッド本体１の後部下方のヒール部（heel）とトウ部（toe）においてそれぞれ収容室１４ａ、１４ｂが設けられることにより、弾性エアクッション２を収容することができ、さらに弾性エアクッション２を利用して重り３を固定するのを補助することができる。収容室１４ａ、１４ｂの位置はヘッド本体１の打球の余振の集中する位置に符合すると共に、収容室１４ａ、１４ｂはフェース板１１の背面まで連通するように形成されることにより、弾性エアクッション２と重り３は同様に共同でゴルフクラブヘッドの全体の重心位置を調整することができるため、慣性モーメントと打球の性能を増やす（または調整する）ことができる。また、ヘッド本体１が打球を行う時、弾性エアクッション２によって同様に打球の応力を減損しない状態でフェース板１１から生じた打球の余振を有効に吸収することができるため、クラブの握持の快適感を増やすと共に、方向の制御性と打球の正確性を高めることができる。
【実施例３】
【００１７】
図５を参照すると、本発明の実施例３の振動吸収可能なゴルフクラブヘッドの重りの構造が掲示される。実施例１と比較すると、実施例３においてヘッド本体１はウッド型のヘッド構造からなり、ヘッド本体１にも同様にフェース板１１、ホーゼル１２と少なくとも一個の収容室１４（重り部）が設けられ、収容室１４は内部空間１５においてフェース板１１に近寄る位置に形成される。収容室１４は少なくとも一個の弾性エアクッション２と少なくとも一個の重り３を収容するのに用いられる。また、弾性エアクッション２には嚢体２１、気室２２と結合部２３が設けられる外に、さらに狭い隙間２３１が設けられる。結合部２３は組立の空間を提供して重り３を組み立てて結合することができる。狭い隙間２３１は嚢体２１の外表面と結合部２３との間を連通するように形成されることにより、重り３を結合部２３の内部に簡単に嵌入することができる。これにより、弾性エアクッション２と重り３は同様に共同でウッド型のゴルフクラブヘッドの全体の重心位置を調整することができるため、慣性モーメントと打球の性能を増やす（または調整する）ことができる。また、ヘッド本体１が打球を行う時、弾性エアクッション２によって同様に打球の応力を減損しない状態でフェース板１１から生じた打球の余振を有効に吸収することができるため、クラブの握持の快適感を増やすと共に、方向の制御性と打球の正確性を高めることができる。
【００１８】
図６、７、８、９を参照すると、本発明の実施例４、５、６、７の振動吸収可能なゴルフクラブヘッドの重りの構造が掲示される。実施例１と比較すると、実施例４、５、６、７において弾性エアクッション２には直接嚢体２１の適当な位置において結合部２４が凹むように設けられることにより、重り３を結合することができる。これにより、弾性エアクッション２と重り３との組立の関係をさらに簡単にすることができる。
【実施例４】
【００１９】
再び図６を参照すると、本発明の実施例４のヘッド本体１の収容室１４の開口部は後へ向くように形成され、そして弾性エアクッション２の結合部２４の開口部も後へ向くように形成されることにより、重り３が結合部２４に嵌入された後、部分的な表面が露出するように形成されるため、上記表面に商標、文字または番号を標示することができると共に、さらに重り３を簡単に組み立てたり取り外したりすることができる。また、弾性エアクッション２の嚢体２１には他に少なくとも一個の係止部２５が突出するように設けられ、そしてヘッド本体１の収容室１４（振動抑制ゾーン）の内周壁には対応するように少なくとも一個の係止部１４１が凹むように設けられる。弾性エアクッション２の係止部２５は収容室１４の係止部１４１に係止し結合することができるため、結合の信頼性を高めることができる。
【実施例５】
【００２０】
再び図７を参照すると、本発明の実施例５のヘッド本体１の収容室１４の開口部は後へ向くように形成されるが、弾性エアクッション２の結合部２４の開口部は収容室１４の内部においてフェース板１１の背面に向くように形成されることにより、重り３が結合部２４に嵌入される前または後、熔接、貼接または螺設により重り３をフェース板１１の背面に固定することができる。
【実施例６】
【００２１】
再び図８を参照すると、本発明の実施例６のヘッド本体１の収容室１４の開口部は上へ向くように形成され、そして弾性エアクッション２の結合部２４の開口部も上へ向くように形成されることにより、重り３が結合部２４に嵌入された後、部分的な表面が露出するように形成されるため、上記表面に商標、文字または番号を標示することができると共に、さらに重り３を簡単に組み立てたり取り外したりすることができる。
【実施例７】
【００２２】
再び図９を参照すると、本発明の実施例７のヘッド本体１の収容室１４の開口部は後へ向くように形成され、さらに弾性エアクッション２の結合部２４は収容室１４の開口部とフェース板１１の背面との間を貫通するように形成されることにより、重り３が結合部２４に嵌入された後、フェース板１１の背面に貼接することができると共に、部分的な表面が露出するように形成されるため、上記表面に商標、文字または番号を標示することができると共に、さらに重り３を簡単に組み立てたり取り外したりすることができる。また、熔接、貼接または螺設により重り３をフェース板１１の背面に固定することができる。
【実施例８】
【００２３】
図１０を参照すると、本発明の実施例８の振動吸収可能なゴルフクラブヘッドの重りの構造が掲示される。実施例７と比較すると、実施例８における弾性エアクッション２には直接適当な位置において結合部２４が凹むように設けられる外に、ヘッド本体１の収容室１４にも対応するように嵌合部１４２が設けられる。これにより、組立時において、先ず重り３を嵌設、熔接、貼接または螺設などの方式により収容室１４の嵌合部１４２に位置決めさせ、それから弾性エアクッション２を収容室１４に嵌入させ、さらに結合部２４を利用して重り３を結合することにより、重り３の組立の信頼性を強化することができる。図１１に示すように、嵌合部１４２はフェース板１１の背面に隣接するように形成されることにより、重り３はフェース板１１の背面に部分的に接触するように形成される。
【実施例９】
【００２４】
図１１を参照すると、本発明の実施例９の振動吸収可能なゴルフクラブヘッドの重りの構造が掲示される。実施例７と比較すると、実施例９においてもまた実施例８と同様に、弾性エアクッション２に直接適当な位置において結合部２４が凹むように設けられる外に、ヘッド本体１の収容室１４にも対応するように嵌合部１４２が設けられる。これにより、組立時において、先ず重り３を嵌設、熔接、貼接または螺設などの方式により収容室１４の嵌合部１４２に位置決めさせ、それから弾性エアクッション２を収容室１４に嵌入させ、さらに結合部２４を利用して重り３を結合することにより、重り３の組立の信頼性を強化することができる。実施例９においてもまた、図１１に示すように、嵌合部１４２はフェース板１１の背面に隣接するように形成されることにより、重り３はフェース板１１の背面に部分的に接触するように形成される。
【実施例１０】
【００２５】
図１２を参照すると、本発明の実施例１０の振動吸収可能なゴルフクラブヘッドの重りの構造が掲示される。実施例５と比較すると、実施例１０においてヘッド本体１のキャビティ１３には延伸するように長溝１３１が形成され、長溝１３１によってフェース板１１の背面とヘッド本体１の後部下方の収容室１４を区画することができる。これにより、弾性エアクッション２と重り３が収容室１４に収容された後、弾性エアクッション２と重り３はフェース板１１の背面と直接接触しないように形成されることにより、異なる程度の振動吸収と重りの効果を提供することができるため、異なる製品の需要性に符合することができる。
【産業上の利用可能性】
【００２６】
上述の如く、図１３に示す従来のゴルフクラブヘッドの振動吸収構造によれば、中実の振動吸収部材２００を利用して打球の余振を吸収するが、打球の余振を有効に吸収することができないという問題点があり、さらに従来のゴルフクラブヘッドの振動吸収構造によれば、重りとヘッド本体との結合構造の部位において亀裂または緩みが生じるなどの欠点を有しているが、図３に示す本発明の振動吸収可能なゴルフクラブヘッドの重りの構造によれば、フェース板１１の後方において適当な位置に弾性エアクッション２と重り３を設置することにより、さらに弾性エアクッション２を利用して重り３の位置決めを補助することができるため、打球の余振を有効に吸収し、打球の応力の減損を避け、重りの組立を簡単にし、クラブの握持の快適感を増やし、打球の正確性を高め、さらに全体の打球の性能を確保することができる。
【００２７】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２８】
【図１】本発明の実施例１の振動吸収可能なゴルフクラブヘッドの重りの構造を示す分解斜視図である。
【図２】本発明の実施例１の振動吸収可能なゴルフクラブヘッドの重りの構造を示す分解断面図である。
【図３】本発明の実施例１の振動吸収可能なゴルフクラブヘッドの重りの構造による組み立てられた状態を示す断面図である。
【図４】本発明の実施例２の振動吸収可能なゴルフクラブヘッドの重りの構造による組み立てられた状態を示す背面図である。
【図５】本発明の実施例３の振動吸収可能なゴルフクラブヘッドの重りの構造による組み立てられた状態を示す断面図である。
【図６】本発明の実施例４の振動吸収可能なゴルフクラブヘッドの重りの構造による組み立てられた状態を示す断面図である。
【図７】本発明の実施例５の振動吸収可能なゴルフクラブヘッドの重りの構造による組み立てられた状態を示す断面図である。
【図８】本発明の実施例６の振動吸収可能なゴルフクラブヘッドの重りの構造による組み立てられた状態を示す断面図である。
【図９】本発明の実施例７の振動吸収可能なゴルフクラブヘッドの重りの構造による組み立てられた状態を示す断面図である。
【図１０】本発明の実施例８の振動吸収可能なゴルフクラブヘッドの重りの構造による組み立てられた状態を示す断面図である。
【図１１】本発明の実施例９の振動吸収可能なゴルフクラブヘッドの重りの構造による組み立てられた状態を示す断面図である。
【図１２】本発明の実施例１０の振動吸収可能なゴルフクラブヘッドの重りの構造による組み立てられた状態を示す断面図である。
【図１３】従来の振動吸収可能なゴルフクラブヘッドの重りの構造による組み立てられた状態を示す断面図である。
【符号の説明】
【００２９】
１０    ヘッド本体                      １１    フェース板
１２    ホーゼル                        １３    キャビティ
１３１    長溝                            １４    収容室
１４ａ    収容室                        １４ｂ    収容室
１４１    係止部                        １４２    嵌合部
１５    内部空間                          ２    弾性エアクッション
２１    嚢体                            ２２    気室
２３    結合部                        ２３１    狭い隙間
２４    結合部                          ２５    係止部
３    重り                          １００    ヘッド本体
１０１    フェース板                    １０２    キャビティ
２００    振動吸収材料
【図１】
2006255017.tif 000003
【図２】
2006255017.tif 000004
【図３】
2006255017.tif 000005
【図４】
2006255017.tif 000006
【図５】
2006255017.tif 000007
【図６】
2006255017.tif 000008
【図７】
2006255017.tif 000009
【図８】
2006255017.tif 000010
【図９】
2006255017.tif 000011
【図１０】
2006255017.tif 000012
【図１１】
2006255017.tif 000013
【図１２】
2006255017.tif 000014
【図１３】
2006255017.tif 000015